【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
磁気共鳴装置（５）による潅流の自動決定方法であって、
潅流に感応する撮像シーケンスによりボリューム要素（１５）から検出される複数の第１の磁気共鳴データ（２１）を時間経過と共に作成するステップと、
制御撮像シーケンスにより同一のボリューム要素（１５）から検出される複数の第２の磁気共鳴データ（２２）を時間経過と共に作成するステップと、
ボリューム要素（１５）における潅流（μ）を決定するために第１の磁気共鳴データ（２１）および第２の磁気共鳴データ（２２）の統計的解析（１６）を行なうステップとを有する磁気共鳴装置による潅流の自動決定方法。
【請求項２】
制御撮像シーケンスは潅流に感応しない撮像シーケンスである請求項１記載の方法。
【請求項３】
潅流に感応する撮像シーケンスは潅流に感応する傾斜磁場設定により作成され、潅流に感応しない撮像シーケンスは潅流に感応しない傾斜磁場設定により作成される請求項２記載の方法。
【請求項４】
第１の磁気共鳴データ（２１）および第２の磁気共鳴データ（２２）から一連の磁気共鳴画像が作成され、時間経過と共に個々の画素（１９）の信号経過が求められる請求項１乃至３の１つに記載の方法。
【請求項５】
前記信号経過が前記統計的解析（１６）により検査され、係数（μ）が求められ、この係数（μ）の解析により潅流に関する情報が求められる請求項４記載の方法。
【請求項６】
ボリューム要素（１５）について第１の磁気共鳴データ（２１）の成分および第２の磁気共鳴データ（２２）の成分が交互に検出される請求項１乃至５の１つに記載の方法。
【請求項７】
前記統計的解析（１６）が、一般線形モデル（１６）にしたがって、またはスチューデントのｔ検定にしたがって、または相互相関にしたがって行なわれる請求項１乃至６の１つに記載の方法。
【請求項８】
前記統計的解析（１６）に少なくとも１つのモデル関数（１７）が少なくとも１つのリグレッサとして付加され、該少なくとも１つのリグレッサは、磁気共鳴装置（５）によって検出された測定結果から導き出されたリグレッサと、磁気共鳴装置（５）に属さない装置によって検出されたリグレッサと、潅流測定が行なわれる生物（０）の機能的変化から導き出されたリグレッサとを有するグループの中の１つ又は複数のリグレッサを含む請求項１乃至７の１つに記載の方法。
【請求項９】
前記統計的解析（１６）に少なくとも１つのモデル関数（１７）が少なくとも１つのリグレッサとして付加され、該少なくとも１つのリグレッサは、潅流測定が行なわれる生物（０）の運動と、磁気共鳴装置（５）の走査安定性と、生物（０）の呼吸と、生物（０）の心拍動と、生物（０）の生理学的状態と、生物（０）の機能的活性とを有するグループの中の１つ又は複数のリグレッサを含む請求項１乃至８の１つに記載の方法。
【請求項１０】
前記統計的解析（１６）によって、ボリューム要素（１５）について求められた結果の信頼性に関する情報と、ボリューム要素（１５）の画素（１９）についてのコントラスト対ノイズ比に関する情報と、アーチファクトに関する情報とを有するグループから少なくとも１つの他の結果が求められ、前記アーチファクトが、潅流測定が行なわれる生物（０）の呼吸と、生物（０）の心拍動と、生物（０）の運動と、生物（０）の機能的活性と、ＢＯＬＤ効果とを含む請求項１乃至９の１つに記載の方法。
【請求項１１】
前記統計的解析（１６）によって検出されたアーチファクトが予め定められた閾値を上回っている場合、既に作成された第１の磁気共鳴データ（２１）および第２の磁気共鳴データ（２２）が排除されることまたは他の第１の磁気共鳴データ（２１）および第２の磁気共鳴データ（２２）が作成されることによって、作成された第１の磁気共鳴データ（２１）および第２の磁気共鳴データ（２２）の品質制御が前記少なくとも１つの結果により行なわれる請求項１０記載の方法。
【請求項１２】
ボリューム要素（１５）の磁気共鳴画像は、前記統計的解析（１６）により、該磁気共鳴画像が、ボリューム要素（１５）の組織の血中酸素含有量に関する情報と、潅流測定が行なわれる生物（０）の機能的活性に関する情報と、ＢＯＬＤ効果と機能的活性との相関結果に関する情報とを有するグループの中の少なくとも１つの情報を含んでいるように作成される請求項１乃至１１の１つに記載の方法。
【請求項１３】
ボリューム要素（１５）の磁気共鳴画像は、絶えずリアルタイムで作成され、新しい第１の磁気共鳴データ（２１）および第２の磁気共鳴データ（２２）によって更新される請求項１乃至１２の１つに記載の方法。
【請求項１４】
ボリューム要素（１５）の磁気共鳴画像は、第１の磁気共鳴データ（２１）および第２の磁気共鳴データ（２２）の全体に基づいて、または第１の磁気共鳴データ（２１）および第２の磁気共鳴データ（２２）の一部分に基づいて作成される請求項１乃至１３の１つに記載の方法。
【請求項１５】
前記統計的解析が一般線形モデル（１６）により実施され、該一般線形モデルの係数（μ）は、この係数（μ）がボリューム要素（１５）における相対的または絶対的な潅流単位を生じるように基準化される請求項１乃至１４の１つに記載の方法。
【請求項１６】
磁気共鳴装置用の潅流の自動決定装置であって、
潅流の自動決定装置（６）が、磁気共鳴装置（５）を制御する制御ユニット（１１）と、磁気共鳴装置（５）によって撮影されたボリューム要素（１５）の複数の第１の磁気共鳴データ（２１）および第２の磁気共鳴データ（２２）を受信する受信装置（１２）と、第１の磁気共鳴データ（２１）および第２の磁気共鳴データ（２２）を評価して第１の磁気共鳴データ（２１）および第２の磁気共鳴データ（２２）に基づいてボリューム要素（１５）における潅流（μ）を可視化するボリューム要素（１５）の磁気共鳴画像を作成する評価装置（１３）とを含み、
磁気共鳴装置（５）が第１の磁気共鳴データ（２１）の受信時にボリューム要素（１５）において潅流に感応する撮像シーケンスを実行しかつ磁気共鳴装置（５）が第２の磁気共鳴データ（２２）の受信時にボリューム要素（１５）において制御撮像シーケンスを実行するように潅流の自動決定装置（６）が制御ユニット（１１）を介して磁気共鳴装置（５）を制御し、
評価装置（１３）がボリューム要素（１５）における潅流（μ）を決定するために第１の磁気共鳴データ（２１）および第２の磁気共鳴データ（２２）の統計的解析（１６）を実行する磁気共鳴装置用の潅流の自動決定装置。
【請求項１７】
潅流の自動決定装置（６）は、磁気共鳴装置（５）が第２の磁気共鳴データ（２２）の作成時にボリューム要素（１５）において潅流に感応しない撮像シーケンスを実行するように制御ユニット（１１）を介して磁気共鳴装置（５）を制御する請求項１６記載の装置。
【請求項１８】
制御ユニット（１１）は、受信装置（１２）が第１の磁気共鳴データ（２１）の成分と第２の磁気共鳴データ（２２）の成分とを交互に受信するように制御される請求項１６又は１７記載の装置。
【請求項１９】
評価装置（１３）は一般線形モデル（１６）にしたがって、またはスチューデントのｔ検定にしたがって、または相互相関にしたがって前記統計的解析を行なう請求項１６乃至１８の１つに記載の装置。
【請求項２０】
評価装置（１３）は前記統計的解析時に少なくとも１つのモデル関数（１７）を少なくとも１つのリグレッサとして付加し、該少なくとも１つのリグレッサは、磁気共鳴装置（５）によって検出された測定結果から導き出されたリグレッサと、磁気共鳴装置（５）に属さない装置によって検出されたリグレッサと、潅流測定が行なわれる生物（０）の機能的変化から導き出されたリグレッサとを有するグループの中の１つ又は複数のリグレッサを含む請求項１６乃至１９の１つに記載の装置。
【請求項２１】
評価装置（１３）は前記統計的解析時に少なくとも１つのモデル関数（１７）を少なくとも１つのリグレッサとして付加し、該少なくとも１つのリグレッサは、潅流測定が行なわれる生物（０）の運動と、磁気共鳴装置（５）の走査安定性と、生物（０）の呼吸と、生物（０）の心拍動と、生物（０）の運動と、生物（０）の生理学的状態と、生物（０）の機能的活性とを有するグループの中の１つ又は複数のリグレッサを含む請求項１６乃至２０の１つに記載の装置。
【請求項２２】
評価装置（１３）は、前記統計的解析（１６）によって少なくとも１つの他の結果を、方法によってボリューム要素（１５）について求められた結果の信頼性に関する情報と、ボリューム要素（１５）の画素についてのコントラスト対ノイズ比に関する情報と、アーチファクトに関する情報とを有するグループから求め、前記アーチファクトが、潅流測定が行なわれる生物（０）の呼吸と、生物（０）の心拍動と、生物（０）の運動と、生物（０）の機能的活性と、ＢＯＬＤ効果とを含む請求項１６乃至２１の１つに記載の装置。
【請求項２３】
前記統計的解析（１６）によって検出されたアーチファクトが予め定められた閾値を上回っていることを評価装置（１３）が検出した場合に、評価装置（１３）が既に作成された第１の磁気共鳴データ（２１）および第２の磁気共鳴データ（２２）を磁気共鳴画像の作成から排除することまたは装置（６）が他の第１の磁気共鳴データ（２１）および第２の磁気共鳴データ（２２）を作成することによって、潅流の自動決定装置（６）が、前記少なくとも１つの結果により、作成された第１の磁気共鳴データ（２１）および第２の磁気共鳴データ（２２）の品質制御を行なう請求項２２記載の装置。
【請求項２４】
評価装置（１３）は、前記統計的解析（１６）により磁気共鳴画像を、該磁気共鳴画像が、ボリューム要素（１５）の組織の血中酸素含有量に関する情報と、潅流測定が行なわれる生物（０）の機能的活性に関する情報と、ＢＯＬＤ効果と機能的活性との相関結果に関する情報とを有するグループの中の少なくとも１つの情報を含むように作成する請求項１６乃至２３の１つに記載の装置。
【請求項２５】
評価装置（１３）は、磁気共鳴画像を絶えずリアルタイムで作成し、新しい第１の磁気共鳴データ（２１）および第２の磁気共鳴データ（２２）によって更新する請求項１６乃至２４の１つに記載の装置。
【請求項２６】
評価装置（１３）は、磁気共鳴画像を、第１の磁気共鳴データ（２１）および第２の磁気共鳴データ（２２）の全体に基づいてまたは第１の磁気共鳴データ（２１）および第２の磁気共鳴データ（２２）の一部分に基づいて作成する請求項１６乃至２５の１つに記載の装置。
【請求項２７】
評価装置（１３）は一般線形モデル（１６）を用いて前記統計的解析を実施し、評価装置（１３）は、一般線形モデル（１６）の係数（μ）がボリューム要素（１５）における相対的または絶対的な潅流単位を生じるように一般線形モデル（１６）の係数（μ）を基準化する請求項１６乃至２６の１つに記載の装置。
【請求項２８】
潅流の自動決定装置（６）が請求項１乃至１５の１つに記載の方法を実施する請求項１６乃至２７の１つに記載の装置。
【請求項２９】
請求項１６乃至２８の１つに記載の潅流の自動決定装置（６）を有する磁気共鳴装置。
【請求項３０】
磁気共鳴装置（５）のプログラム可能な制御装置（６）のメモリに直接に読み込み可能であるコンピュータ読み取り可能な媒体であって、プログラムが磁気共鳴装置（５）の制御装置（６）において実行されるときに、請求項１乃至１５の１つに記載の方法の全てのステップを実行するためのプログラム手段を有するコンピュータ読み取り可能な媒体。
【請求項３１】
データ媒体（１４）の使用時に磁気共鳴装置（５）の制御装置（６）において請求項１乃至１５の１つに記載の方法を実行するように構成されている電子的に読取可能な制御情報が記憶されている電子的に読取可能なデータ媒体。
【手続補正２】
【補正対象書類名】明細書
【補正対象項目名】発明の名称
【補正方法】変更
【補正の内容】
【発明の名称】磁気共鳴装置による潅流の自動決定方法、磁気共鳴装置用の潅流の自動決定装置、コンピュータ読み取り可能な媒体および電子的に読取可能なデータ媒体
【手続補正３】
【補正対象書類名】明細書
【補正対象項目名】０００５
【補正方法】変更
【補正の内容】
【０００５】
この課題は、本発明によれば、請求項１による磁気共鳴装置による潅流の自動決定方法、請求項１６による磁気共鳴装置用の潅流の自動決定装置、請求項２９による磁気共鳴装置、請求項３０によるコンピュータ読み取り可能な媒体、ならびに請求項３１による電子的に読取可能なデータ媒体によって解決される。従属の請求項は本発明の優れた有利な実施態様を規定する。
【手続補正４】
【補正対象書類名】明細書
【補正対象項目名】０００８
【補正方法】変更
【補正の内容】
【０００８】
磁気共鳴装置用の潅流の自動決定装置に関する本発明の実施態様は次の通りである。
・  潅流の自動決定装置は、磁気共鳴装置が第２の磁気共鳴データの作成時にボリューム要素において潅流に感応しない撮像シーケンスを実行するように制御ユニットを介して磁気共鳴装置を制御する（請求項１７）。
・  制御ユニットは、受信装置が第１の磁気共鳴データの成分と第２の磁気共鳴データの成分とを交互に受信するように制御される（請求項１８）。
・  評価装置は一般線形モデルにしたがって、またはスチューデントのｔ検定にしたがって、または相互相関にしたがって前記統計的解析を行なう（請求項１９）。
・  評価装置は前記統計的解析時に少なくとも１つのモデル関数を少なくとも１つのリグレッサとして付加し、該少なくとも１つのリグレッサは、磁気共鳴装置によって検出された測定結果から導き出されたリグレッサと、磁気共鳴装置に属さない装置によって検出されたリグレッサと、潅流測定が行なわれる生物の機能的変化から導き出されたリグレッサとを有するグループの中の１つ又は複数のリグレッサを含む（請求項２０）。
・  評価装置は前記統計的解析時に少なくとも１つのモデル関数を少なくとも１つのリグレッサとして付加し、該少なくとも１つのリグレッサは、潅流測定が行なわれる生物の運動と、磁気共鳴装置の走査安定性と、生物の呼吸と、生物）の心拍動と、生物の運動と、生物の生理学的状態と、生物の機能的活性とを有するグループの中の１つ又は複数のリグレッサを含む（請求項２１）。
・  評価装置は、前記統計的解析によって少なくとも１つの他の結果を、方法によってボリューム要素について求められた結果の信頼性に関する情報と、ボリューム要素の画素についてのコントラスト対ノイズ比に関する情報と、アーチファクトに関する情報とを有するグループから求め、前記アーチファクトが、潅流測定が行なわれる生物の呼吸と、生物の心拍動と、生物の運動と、生物の機能的活性と、ＢＯＬＤ効果とを含む（請求項２２）。前記統計的解析によって検出されたアーチファクトが予め定められた閾値を上回っていることを評価装置が検出した場合に、評価装置が既に作成された第１の磁気共鳴データおよび第２の磁気共鳴データを磁気共鳴画像の作成から排除することおよび／または装置が他の第１の磁気共鳴データおよび第２の磁気共鳴データを作成することによって、潅流の自動決定装置が、前記少なくとも１つの結果により、作成された第１の磁気共鳴データおよび第２の磁気共鳴データの品質制御を行なう（請求項２３）。
・  評価装置は、前記統計的解析により磁気共鳴画像を、該磁気共鳴画像が、ボリューム要素の組織の血中酸素含有量に関する情報と、潅流測定が行なわれる生物の機能的活性に関する情報と、ＢＯＬＤ効果と機能的活性との相関結果に関する情報とを有するグループの中の少なくとも１つの情報を含むように作成する（請求項２４）。
・  評価装置は、磁気共鳴画像を絶えずリアルタイムで作成し、新しい第１の磁気共鳴データおよび第２の磁気共鳴データによって更新する（請求項２５）。
・  評価装置は、磁気共鳴画像を、第１の磁気共鳴データおよび第２の磁気共鳴データの全体に基づいてまたは第１の磁気共鳴データおよび第２の磁気共鳴データの一部分に基づいて作成する（請求項２６）。
・  評価装置は一般線形モデルを用いて前記統計的解析を実施し、評価装置は、一般線形モデルの係数がボリューム要素における相対的または絶対的な潅流単位を生じるように一般線形モデルの係数を基準化する（請求項２７）。
・  潅流の自動決定装置が上述した本発明による方法を実施する（請求項２８）。
【手続補正５】
【補正対象書類名】明細書
【補正対象項目名】０００９
【補正方法】変更
【補正の内容】
【０００９】
コンピュータ読み取り可能な媒体に関する課題は、本発明によれば、磁気共鳴装置のプログラム可能な制御装置のメモリに直接に読み込み可能であるコンピュータ読み取り可能な媒体であって、プログラムが磁気共鳴装置の制御装置において実行されるときに、上述した本発明による方法の全てのステップを実行するためのプログラム手段を有することによって解決される。
【手続補正６】
【補正対象書類名】明細書
【補正対象項目名】００３５
【補正方法】変更
【補正の内容】
【００３５】
更に、本発明は、磁気共鳴装置のプログラム可能な制御装置のメモリに直接に読み込み可能であるコンピュータ読み取り可能な媒体、特にソフトウェアを提供する。プログラム手段およびこのコンピュータ読み取り可能な媒体により、コンピュータ読み取り可能な媒体が装置において動作するときに、本発明による方法の全ての前述の実施態様が実施可能である。